(57)【要約】      （修正有）【課題】搬送の障害となる段部があった場合でもこれを容易に乗り越えて重量物を搬送し、また、傾斜床面での重量物の連結作業も容易にする。【解決手段】台車フレーム２が凹状溝部１０を備え、この凹状溝部１０にジャッキ機構３０の基台部３１が支持され、ジャッキ機構３０の上部に荷台３４が設けられている。従って、重量物は、ジャッキ機構３０の荷台３４によって支持される。このため、ジャッキ機構３０の高さを調整することにより、重量物の搬送高さを容易に調整でき、搬送路上に段部等の障害があっても、高さ調整用の角材などを用いることなく、容易に乗り越えることができる。【選択図】図１
0003137181.tif 000002
【実用新案登録請求の範囲】
【請求項１】
台車フレームと該台車フレームに取り付けられる車輪とを備え、前記台車フレームに支持される荷台に搬送対象である重量物を支持して搬送する重量物搬送台車であって、
前記台車フレームは、
底壁部と２つの側壁部とを備えた凹状溝部と、
前記凹状溝部の各側壁部からそれぞれ外方に突出し、前記車輪が支持される突出片部と
を備えてなり、かつ、
前記台車フレームの凹状溝部内に基台部が支持され、上部に前記荷台が設けられるジャッキ機構を備えてなることを特徴とする重量物搬送台車。
【請求項２】
前記ジャッキ機構は、パンタグラフ型であることを特徴とする請求項１記載の重量物搬送台車。
【請求項３】
前記荷台の表面には、滑り止め部材が、該表面に一部を露出させて部分的に埋設されていることを特徴とする請求項１記載の重量物搬送台車。
【請求項４】
前記各突出片部は、前記凹状溝部の各側壁部の上縁からそれぞれ外方に略水平に突出され、
前記各車輪は、この各突出片部に設けられる車輪支持部材に、搬送面に接した際に、前記凹状溝部の底壁部下面が搬送面から離間するような位置関係で設けられていることを特徴とする請求項１記載の重量物搬送台車。
【考案の詳細な説明】
【技術分野】
【０００１】
本考案は、食品収納タンク、各種の液体収納タンク、冷暖房機器、大型工作機械などの重量物を主として各種工場、クリーンルーム、機械室その他の施設内などで搬送するために用いられる重量物搬送台車に関する。
【背景技術】
【０００２】
重量物を搬送する搬送台車は、例えば、特許文献１の図１に示されているように、重量物の前後に配置される、平板な荷台と車輪とを備えたものが一般的である。特許文献１の図１では、前側及び後側ともに、それぞれ一対の搬送台車と、左右の搬送台車同士を連結する連結部材とを備えてなる。また、特許文献２には、その図１に、重量物を載せる１枚の平板な荷台と、その前後に配設される車輪とを備えた構造のものと、図２３に、平板な荷台と車輪とを備え、それらが重量物の前後に配設されるものとが開示されている。
【特許文献１】特開２００２−３６８０７号公報
【特許文献２】特開２００３−１８２５８６号公報
【考案の開示】
【考案が解決しようとする課題】
【０００３】
上記した従来の搬送台車は、平板な荷台上に重量物を載せて重量物を搬送する。搬送路が平坦な場合にはそのまま搬送路に従って重量物を押していくが、その途中に、図６に示したような段部Ｂがある場合には、従来次のようにして、この段部Ｂを乗り越えている。まず、重量物Ａを搬送する場合には、予め搬送路上の段部Ｂよりも重量物Ａの下面が高い位置となるように、重量物搬送台車１００，１０１の荷台１００ａ，１０１ａ上に木製の角材１００ｂ，１０１ｂをおき、高さ調整して搬送する。そして、段部Ｂを乗り越える際には、まず、図６（ａ）に示したように、重量物Ａの先端部Ａ１を段部Ｂの反対側に突出するまで乗り越えさせ、段部Ｂの反対側において予め準備したハンドリフト２００によって該先端部Ａ１を支える。ハンドリフト２００で支えるときも、重量物Ａが段部Ｂに接触しないように、角材２００ｂなどをかませて高さ調整する。この状態で、先頭側に位置する重量物搬送台車１００を外す。次いで、図６（ｂ）に示したように、後方側に位置する重量物搬送台車１０１が段部Ｂの手前に至るまで、ハンドリフト２００と該重量物搬送台車１０１を利用して搬送する。後方側に位置する重量物搬送台車１０１が段部Ｂの手前に至ったならば、図６（ｃ）に示したように、重量物Ａの後端部Ａ２を別途準備したジャッキ３００で持ち上げ、その間に、後方側に位置する重量物搬送台車１０１を外し、段部Ｂの反対側に位置させて、重量物Ａを支える。次いで、不要となったジャッキ３００を取り外し、再度、ハンドリフト２００と該重量物搬送台車１０１を利用して搬送を継続する。
【０００４】
一方、目的の搬送場所が、図７に示したような傾斜床面である場合もある。このとき、２つの重量物Ｄ，Ｅを連結しなければならないこともある。この場合、まず、各重量物Ｄ，Ｅを一旦、傾斜床面上に載置し、各脚部Ｄ１，Ｅ１の下部に設けられているアジャスタを調整し、重量物Ｄ，Ｅ自体が水平になるようにする。次いで、重量物Ｄ，Ｅを角材Ｆを用いるなどして押して接近させる。傾斜床面であるため、接近させるとまた２つの重量物Ｄ，Ｅの高さが合わなくなることから、再度アジャスタを調整する。これを何度か繰り返し、２つの重量物Ｄ，Ｅを連結する。
【０００５】
上記のように、重量物は重いことから、搬送路上の段部を乗り越えるのは容易ではなく、平坦な搬送路を搬送する際に必要な重量物搬送台車以外に、段部を乗り越える際の該搬送台車の入れ替え時に重量物の前後を支えるハンドリフトやジャッキといった予備の支持部材を少なくとも重量物の前後に一組は必要となる。この結果、これらの予備の支持部材を準備して持ち運ぶ手間がかかるし、搬送作業コストも高くなる。また、傾斜床面で複数の重量物を連結する作業も容易ではない。さらに、上記のような段部があると、段部を乗り越えるために、高さ調整用の角材を用いることが通常であるが、搬送場所がクリーンルームなどの場合には、この角材の木くずが落ちるなどの問題もある。
【０００６】
本考案は上記に鑑みなされたものであり、搬送の障害となる段部があった場合でも容易に乗り越えることができると共に、高さ調整用の角材を使用する必要もなく、さらに、傾斜床面での重量物の連結作業も容易に行うことができる重量物搬送台車を提供することを課題とする。
【課題を解決するための手段】
【０００７】
上記課題を解決するため、本考案では、台車フレームと該台車フレームに取り付けられる車輪とを備え、前記台車フレームに支持される荷台に搬送対象である重量物を支持して搬送する重量物搬送台車であって、前記台車フレームは、底壁部と２つの側壁部とを備えた凹状溝部と、前記凹状溝部の各側壁部からそれぞれ外方に突出し、前記車輪が支持される突出片部とを備えてなり、かつ、前記台車フレームの凹状溝部内に基台部が支持され、上部に前記荷台が設けられるジャッキ機構を備えてなることを特徴とする重量物搬送台車を提供する。
【０００８】
前記ジャッキ機構としては、パンタグラフ型であることが好ましい。また、前記荷台の表面には、滑り止め部材が、該表面に一部を露出させて部分的に埋設されていることが好ましい。
【０００９】
前記各突出片部は、前記凹状溝部の各側壁部の上縁からそれぞれ外方に略水平に突出され、前記各車輪は、この各突出片部に設けられる車輪支持部材に、搬送面に接した際に、前記凹状溝部の底壁部下面が搬送面から離間するような位置関係で設けられていることが好ましい。
【考案の効果】
【００１０】
本考案の重量物搬送台車は、台車フレームが凹状溝部を備え、この凹状溝部にジャッキ機構の基台部が支持され、ジャッキ機構の上部に荷台が設けられている。従って、重量物は、ジャッキ機構の荷台によって支持される。このため、ジャッキ機構の高さを調整することにより、重量物の搬送高さを容易に調整でき、搬送路上に段部等の障害があっても、高さ調整用の角材などを用いることなく、容易に乗り越えることができる。また、段部を乗り越える際には、本考案の重量物搬送台車を、もう一組準備すればよく、段部を乗り越えるために必要な部材が従来よりも少なくて済む。
【００１１】
一方、重量物を重量物搬送台車の荷台に支持させるにあたっては、作業上、荷台の高さができるだけ低いことが好ましい。この点、本考案によれば、荷台がジャッキ機構の上部にあるものの、台車フレームの凹状溝部に、ジャッキ機構の基台部を配置する構成としているため、ジャッキ機構を設けたにも拘わらず、荷台高さは低く、重量物の搬送に適している。
【００１２】
また、傾斜床面上に複数の重量物を連結して設置する場合、本考案の重量物搬送台車のジャッキ機構を上下させることで、重量物搬送台車に支えられた状態で各重量物の高さを容易に合わせることができる。従って、重量物同士を接近させて連結してから、各重量物の脚部のアジャスタを調整すればよく、傾斜床面上での設置作業は極めて容易になる。
【考案を実施するための最良の形態】
【００１３】
以下、図面に示した本考案の実施形態に基づき、本考案をさらに詳細に説明する。図１は、本実施形態に係る重量物搬送台車１の斜視図、図２はその側面図である。本実施形態の重量物搬送台車１は、台車フレーム２と車輪２１とを備えてなる。台車フレーム２は、鋼板や鉄板から形成され、断面略凹状の凹状溝部１０と突出片部１４，１５とを有して構成される。凹状溝部１０は、底壁部１１と該底壁部１１の両側から上方に立ち上がるように形成され、互いに略対向する２つの側壁部１２，１３とを備えてなる。
【００１４】
突出片部１４，１５には、図１及び図２に示したように、その適宜位置に、下方に突出するように車輪支持部材２０が設けられており、各車輪支持部材２０に車輪２１が支持される。車輪支持部材２０や車輪２１は、重量物の重さに耐えられる強度を備えたものが用いられることはもちろんであり、また、本実施形態では、各突出片部１４，１５に２組ずつ配設しているが、これも、重量物の重さによっては１組又は３組以上とすることができる。いずれにしても、凹状溝部１０の底壁部１１の下面が、搬送中に引っかかったりしないようにするため、車輪２１が搬送路に接地した際に、該搬送路の路面に対して適宜の隙間（図２の符号ａの部分）を有する若干浮き上がった状態となるように、車輪支持部材２０の長さ、車輪２１の大きさ等が選択される。
【００１５】
凹状溝部１０内には、ジャッキ機構３０の基台部３１が支持される。本実施形態ではパンタグラフ型のジャッキ機構３０を用いている。これは、台車フレーム２の突出片部１４，１５から大きくはみ出したりすることがなく、コンパクトに収まるからであるが、これに限定されるものではなく、シリンダ式のものを用いることもできる。
【００１６】
ジャッキ機構３０の基台部３１は、凹状溝部１０を形成する底壁部１１に、図示しないボルト、ナットを用いて連結固定される。基台部３１には、関節部３２ａを備え、該関節部３２ａを中心に伸びたり曲がったりするアーム部３２が設けられている。そして、アーム部３２の上部に荷台３４が支持されている。また、本実施形態では、アーム部３２を伸ばしたり、曲げたりするための操作部３３として手動式のものを採用しており、該操作部３３を操作して荷台３４を上下動させる。操作部３３は電動式とすることも可能である。本実施形態では、このようにジャッキ機構３０を設けているが、基台部３１が、台車フレーム２の凹状溝部１０内に配置されている。この結果、基台部３１の配置高さは、低い位置となっており、これに伴ってジャッキ機構３０の荷台３４の高さも低くなっているため、重量物を荷台３４に載せたり降ろしたりする作業が従来のジャッキ機構を備えていない台車と比較して困難になることはない。
【００１７】
荷台３４は、平板状のものから構成されるが、例えば、その略中央部が多少へこんだもの等、種々の形状のものを利用できる。搬送対象の重量物の種類、重量物を支持する部位の形状等（例えば、重量物の平坦な部分を支持するか、重量物の脚部を支持するか等）によって選択できる。このため、荷台３４は、アーム部３２に取り替え可能に設けられていることが好ましい。また、アーム部３２と荷台３４とは、荷台３４の取り付け角度が変化し得るように、両者の連結部が可動に設けられていることが好ましい。これにより、例えば、図５に示したような傾斜床面上を走行する際に、台車フレーム２が斜めになっても、荷台３４は、略水平が保たれ、重量物を確実に支持できる。
【００１８】
荷台３４の表面には、図３（ａ）に示したように、部分的にゴム等からなる滑り止め部材３４ａを設ける構成とすることが好ましい。滑り止め部材３４ａは、荷台３４の表面全体に貼った場合には、重量物の重さによって重量物の角部があたったりすると切れることがある。切れた場合には、次の搬送時おいては剥がれるおそれがあるため、張り替えなければならない。従って、滑り止め部材３４ａは、該荷台３４に複数の凹部を設け、この凹部を利用して固定し、平板３４の表面から僅かに突出するように配設することが好ましい。重量物の重さにより、滑り止め部材３４ａは押圧されるため、重量物は直接的には荷台３４の表面で支えられ、滑り止め部材３４ａは、重量物を支える機能はほとんどなくなり、滑り止めの機能が主として作用するようになり、滑り止め部材３４ａの損傷が抑制される。滑り止め部材３４ａの形状は限定されるものではなく、図３（ａ）に示したように、平面から見て略方形のものであってもよいし、略円形、略三角形等のものであってもよい。また、断面形状も限定されるものではなく、図３（ｂ）のように略長方形のものであってもよいし、図３（ｃ）のように断面形状がすそ広がりになっているものであってもよい。図３（ｃ）のような形状とすれば、荷台３４の凹部３４ｂからの脱落が抑制される。
【００１９】
本実施形態の重量物搬送台車１は次のように使用される。図４に基づいて説明する。なお、図４では、説明の都合上、重量物搬送台車の符号として１ａ，１ｂ，１ｃを用いる。例えば、図４に示したように、重量物５０の前後付近に一組ずつ重量物搬送台車１ａ，１ｂが配設され、それらの荷台３４によって該重量物５０を支持する。なお、前後付近に一組ずつといっても、図４の奥行き方向（重量物５０の搬送方向に直交する方向）には、複数の重量物搬送台車が配設される場合があることはもちろんである。この状態で、重量物５０を搬送していく途中に段部６０があったとする。この場合、本実施形態では、図４（ａ）に示したように、重量物５０が段部６０を乗り越えられるように荷台３４の高さを調節して搬送する。高さ調整は、ジャッキ機構３０の操作部３３を操作して荷台３４を上下動させるだけでよく、従来のような角材を必要としない。重量物５０の先頭側が段部６０を乗り越えたならば、図４（ｂ）に示したように、予め準備しておいた他の重量物搬送台車１ｃを、この重量物５０の先頭側に配置する。そして、他の重量物搬送台車１ｃと後部側の重量物搬送台車１ｂとの間に位置している重量物搬送台車１ａを取り外す。この場合、重量物搬送台車１ａのジャッキ機構３０の操作部３３を操作して荷台３４を下げて取り外す。
【００２０】
次いで、図４（ｃ）に示したように、先頭側に位置する重量物搬送台車１ｃと後部側に位置する重量物搬送台車１ｂとにより、後部側に位置する重量物搬送台車１ｂが段部６０付近に至るまで搬送し、図４（ｄ）に示したように、段部６０よりも先頭側に、上記において取り外した重量物搬送台車１ａを挿入する。そして、後方側に位置する重量物搬送台車１ｂを取り外し、図４（ｅ）に示したように、重量物搬送台車１ｃ，１ａによって、再び、重量物５０を搬送する。なお、途中に新たに段部があった場合には、この段階で使用していない重量物搬送台車１ｂを利用して、上記と同様の方法により乗り越える。
【００２１】
一方、２つの重量物５０，５０を連結して傾斜床面７０上に設置する場合には、まず、図５（ａ）に示したように、脚部５１，５１を傾斜床面７０上に置く前に、各重量物５０，５０を支持している重量物搬送台車１の荷台３４の高さを調整し、重量部５０，５０同士を連結する。その状態で、荷台３４を下降させ、脚部５１，５１のアジャスタを操作して高さ調整し、図５（ｂ）に示したように、傾斜床面７０上に置く。本実施形態によれば、重量物搬送台車１で支持しながら、重量物５０，５０同士を連結できるため、傾斜床面７０への設置作業が極めて容易になる。
【図面の簡単な説明】
【００２２】
【図１】図１は、本考案の一の実施形態に係る重量物搬送台車を示す斜視図である。
【図２】図２は、上記実施形態に係る重量物搬送台車の側面図である。
【図３】図３は、滑り止め部材を備えた荷台の一例を示す図であり、（ａ）は斜視図であり、（ｂ）は滑り止め部材の形状の一例を説明するための断面図であり、（ｃ）は滑り止め部材の形状の他の例を説明するための断面図である。
【図４】図４（ａ）〜（ｅ）は、上記実施形態に係る重量物搬送台車を用いて段部を乗り越える過程を説明するための図である。
【図５】図５（ａ），（ｂ）は、傾斜床面上に重量物を連結して配置する際の過程を説明するための図である。
【図６】図６（ａ）〜（ｃ）は、従来の重量物搬送台車を用いて段部を乗り越える過程を説明するための図である。
【図７】図７は、従来の重量物搬送台車を用いて傾斜床面上に重量物を連結して配置する際の過程を説明するための図である。
【符号の説明】
【００２３】
１（１ａ，１ｂ，１ｃ）  重量物搬送台車
２  台車フレーム
１０  凹状溝部
１１  底壁部
１２，１３  側壁部
１４，１５  突出片部
２１  車輪
３０  ジャッキ機構
３１基台部
３２  アーム部
３４  荷台
３４ａ  滑り止め部材
５０  重量物
【図１】
0003137181.tif 000003
【図２】
0003137181.tif 000004
【図３】
0003137181.tif 000005
【図４】
0003137181.tif 000006
【図５】
0003137181.tif 000007
【図６】
0003137181.tif 000008
【図７】
0003137181.tif 000009